(57)【要約】      （修正有）【課題】食べ物の保温且つ害虫等による食べ物の汚染の防止以外に、収納する際の整頓と使用する際の設置を容易にした食べ物保温カバーを提供する。【解決手段】外層を包括して食べ物を被せるために用いるカバー本体１１を包含する食べ物保温カバー１０であって、カバー本体は、第一カバー部１１１と、第一カバー部に接続する第一折畳み部１１２と、第一折畳み部に接続する第二カバー部と、第二カバー部に接続する第二折畳み部とを有することを特徴とする。【選択図】図１
0003194950.tif 000002
【実用新案登録請求の範囲】
【請求項１】
外層を包括して食べ物を被せるために用いるカバー本体を包含する食べ物保温カバーであって、前記カバー本体は、第一カバー部と、前記第一カバー部に接続する第一折畳み部と、前記第一折畳み部に接続する第二カバー部と、前記第二カバー部に接続する第二折畳み部とを有することを特徴とする、食べ物保温カバー。
【請求項２】
前記カバー本体は、頂点をさらに包括し、前記食べ物保温カバーの前記カバー本体の上端に位置することで、前記カバー本体を固定することを特徴とする、請求項１に記載の食べ物保温カバー。
【請求項３】
前記頂点は、取っ手をさらに付加することができることを特徴とする、請求項２に記載の食べ物保温カバー。
【請求項４】
前記取っ手は、前記食べ物保温カバーの取り外しを容易にすることができることを特徴とする、請求項３に記載の食べ物保温カバー。
【請求項５】
前記外層は、断熱素材、或いは金属箔であることを特徴とする、請求項１に記載の食べ物保温カバー。
【請求項６】
前記カバー本体は、前記外層の中に内層を包括することを特徴とする、請求項１に記載の食べ物保温カバー。
【請求項７】
前記内層は、断熱素材、或いは金属箔であることを特徴とする、請求項６に記載の食べ物保温カバー。
【請求項８】
前記内層は、前記金属箔によって前記外層に完全に接続することを特徴とする、請求項７に記載の食べ物保温カバー。
【請求項９】
前記内層は、前記金属箔によって前記外層に部分的に接続することを特徴とする、請求項７に記載の食べ物保温カバー。
【請求項１０】
前記金属箔は、アルミニウム箔、銅箔或いは銀箔であることを特徴とする、請求項５或いは請求項７のいずれかに記載の食べ物保温カバー。
【請求項１１】
前記断熱素材は、カバー本体内部の空気の流通や熱伝導を隔絶することができることを特徴とする、請求項５或いは請求項７のいずれかに記載の食べ物保温カバー。
【請求項１２】
前記金属箔は、カバー本体内部の放射熱の伝導を隔絶することができることを特徴とする、請求項５或いは請求項７のいずれかに記載の食べ物保温カバー。
【考案の詳細な説明】
【技術分野】
【０００１】
本考案は食べ物保温カバーであって、特に第一折畳み部及び第二折畳み部を利用して前記食べ物保温カバーの収納と設置とを容易にすることに関するものである。
【背景技術】
【０００２】
衛生習慣や考えが日進月歩する今日において、毎回食べ終えていない食べ物を次の食事で食したい場合、食卓上の食べ物にパラソル方式の網状カバー等を被せることで、蝿や蚊等の昆虫及び爬虫類を防いでおり、これ等昆虫及び爬虫類には多かれ少なかれ病気の元となる微生物或いは微量の粉塵を有しているため、料理等の食べ物をこのような環境下に露出していると、人体に影響を及ぼす恐れがある。現在、製造されている食べ物カバーは、害虫被害や粉塵汚染をある程度防ぐことができるものの、網状で空気の流通がよいため、食べ物の保温については、現行において未だに克服できない問題であり、且つ蝿や蚊等を食べ物に直接接触しないよう防ぐことはできるが、網カバー上に留まり病菌を有する虫の卵を残す恐れがあるため、網カバーがどんなに綿密でも、これら虫の卵や粉塵が網の隙間からこぼれ落ち、食べ物を汚染する可能性がある。
【考案の概要】
【考案が解決しようとする課題】
【０００３】
本考案の目的は上述の問題を解決する以外に、従来の食べ物保温カバーが、収納する際の整頓とその設置が不便であるという問題を解決することにある。
【課題を解決するための手段】
【０００４】
本考案は、外層を包括して食べ物を被せるために用いるカバー本体を包含する食べ物保温カバーであって、前記カバー本体は、第一カバー部と、前記第一カバー部に接続する第一折畳み部と、前記第一折畳み部に接続する第二カバー部と、前記第二カバー部に接続する第二折畳み部とを有している。
【０００５】
本考案に係る食べ物保温カバーにおいて、前記カバー本体は、頂点をさらに包括し、前記食べ物保温カバーの前記カバー本体の上端に位置することで、前記カバー本体を固定している。
【０００６】
本考案に係る食べ物保温カバーにおいて、前記頂点は、取っ手をさらに付加することができる。
【０００７】
本考案に係る食べ物保温カバーにおいて、前記取っ手は、前記食べ物保温カバーの取り外しを容易にすることができる。
【０００８】
本考案に係る食べ物保温カバーにおいて、前記外層は、断熱素材、或いは金属箔である。
【０００９】
本考案に係る食べ物保温カバーにおいて、前記カバー本体は、前記外層の中に内層を包括している。
【００１０】
本考案に係る食べ物保温カバーにおいて、前記内層は、断熱素材、或いは金属箔である。
【００１１】
本考案に係る食べ物保温カバーにおいて、前記内層は、前記金属箔によって前記外層に完全に接続している。
【００１２】
本考案に係る食べ物保温カバーにおいて、前記内層は、前記金属箔によって前記外層に部分的に接続している。
【００１３】
本考案に係る食べ物保温カバーにおいて、前記金属箔は、アルミニウム箔、銅箔或いは銀箔である。
【００１４】
本考案に係る食べ物保温カバーにおいて、前記断熱素材は、カバー本体内部の空気の流通や熱伝導を隔絶することができる。
【００１５】
本考案に係る食べ物保温カバーにおいて、前記金属箔は、カバー本体内部の放射熱の伝導を隔絶することができる。
【図面の簡単な説明】
【００１６】
【図１】本考案に係る食べ物保温カバーの使用状態を示す斜視図である。
【図２】本考案に係る食べ物保温カバーの使用状態を示す平面図である。
【図３】本考案に係る食べ物保温カバーの使用状態を示す底面図である。
【図４】本考案に係る食べ物保温カバーの保存状態を示す側面図である。
【実施例】
【００１７】
図1乃至図3を参照すると、本考案が提供する好ましい実施例に基づく食べ物保温カバー１０の使用状態において、前記食べ物保温カバー１０は、食べ物を被せるためのカバー本体１１を包含し、前記カバー本体１１は、第一カバー部１１１と、前記第一カバー部１１１に接続する第一折畳み部１１２と、前記第一折畳み部１１２に接続する第二カバー部１１３と、前記第二カバー部１１３に接続する第二折畳み部１１４とを有しており、さらに、前記カバー本体１１は、外層１４２及び内層１４１によって構成しており、前記外層１４２は断熱素材であって、前記内層１４１は金属箔である。前記カバー本体１１は、前記外層１４２のほかに、前記外層１４２内に内層１４１或いは／及び第三層を貼り付けることができる。
【００１８】
図１を参照し、本考案に係る前記食べ物保温カバー１０に基づくと、前記食べ物保温カバー１０は食卓の卓上２において、食べ物を被せるように設置するため、前記断熱素材は、前記カバー本体１１内部の空気の流通や熱伝導を隔絶することができる。
【００１９】
本考案に係る前記食べ物保温カバー１０に基づくと、前記金属箔は、前記カバー本体１１内部の放射熱の伝導を隔絶することができる。
【００２０】
本考案に係る前記食べ物保温カバー１０に基づくと、前記カバー本体１１は、頂点１３をさらに包括し、前記食べ物保温カバー１０の前記カバー本体１１の上端に位置することで、前記カバー本体１１を固定している。
【００２１】
本考案に係る前記食べ物保温カバー１０に基づくと、前記頂点１３は、取っ手１２をさらに付加することができる。ユーザは、手で前記取っ手１２を把持し、前記食べ物保温カバー１０を前記卓上２から持ち上げることができる。
【００２２】
本考案に係る前記食べ物保温カバー１０に基づくと、前記取っ手１２は、前記食べ物保温カバー１０の取り外しを容易にすることができる。
【００２３】
本考案に係る前記食べ物保温カバー１０に基づくと、前記内層１４１は、前記金属箔によって前記外層１４２に完全に接続している。前記外層１４２は、第一マジックテープ（登録商標である）１５１及び第二マジックテープ１５２と、第三マジックテープ１５３及び第四マジックテープ１５４とを有しており、前記食べ物保温カバー１０が図４のような保存状態にあった場合、前記第一マジックテープ１５１及び前記第二マジックテープ１５２は粘着し合い、且つ前記第三マジックテープ１５３及び前記第四マジックテープ１５４も粘着し合っており、即ち、手で前記第一カバー部１１１及び前記第二カバー部１１３を収納した後、前記食べ物保温カバー１０の前記第一折畳み部１１２を第一折線１６１において折畳み、且つ前記第二折畳み部１１４を第二折線１６２において折り畳んでいる。前記食べ物保温カバー１０が図１のような使用状態にあった場合、前記第一マジックテープ１５１及び前記第二マジックテープ１５２は分離し、且つ前記第三マジックテープ１５３及び前記第四マジックテープ１５４歯分離している。
【００２４】
本考案に係る前記食べ物保温カバー１０に基づくと、前記金属箔は、アルミニウム箔、銅箔或いは銀箔である。
【００２５】
本考案の内容の叙述及び実施例は詳細に開示しているため、当該分野の技術を熟知した任意の者であれば本考案を製造及び使用することができ、たとえその内容に各種異なる変化或いは修正があったとしても、本考案の技術的精神及び範囲を逸脱するものではない。
【００２６】
当該分野の技術を熟知している任意の者は、以上の設計構造及び実施例によって、本考案に必要な知識を有することで、標的の創作、目標の達成、及び本考案で言及、又は隠喩した利点を得ることができる。そのうち、当該分野の技術を熟知した任意の者が修飾、又はその他に応用することが可能であるが、これ等修飾は、いずれも本考案の技術的精神に含まれるものであり、請求の範囲に定義されているものである。
【符号の説明】
【００２７】
１０      食品保温カバー
１１      カバー本体
１１１    第一カバー部
１１２    第一折畳み部
１１３    第二カバー部
１１４    第二折畳み部
１２      取っ手
１３      頂点
１４１    内層
１４２    外層
１５１    第一マジックテープ
１５２    第二マジックテープ
１５３    第三マジックテープ
１５４    第四マジックテープ
１６１    第一折線
１６２    第二折線
２        卓上
【図１】
0003194950.tif 000003
【図２】
0003194950.tif 000004
【図３】
0003194950.tif 000005
【図４】
0003194950.tif 000006